(57)【要約】  受信器において信号を合成する方法及びシステムを提供する。現在のパケットが再送信されたパケットであると既定の規準に従って判断される場合、この再送信されたパケット及び同じパケット番号の先に記憶された誤ったパケットが各パケットのプリアンブルから計算される信号対ノイズ比（ＳＮＲ）従い最大比合成方法を用いて合成される。この型式のダイバーシティ合成の場合、短い時間で信頼性のあるデータパケット送信が得られる一方、ＳＮＲが増大し、マルチパスチャンネルにおけるスループットタイムが減少する。
2005513868.tif 000002
【特許請求の範囲】
【請求項１】
通信システムにおいてデータパケットを合成する方法であって、この方法は、
−前記データパケットの送信を入力し、入力されるパケットを得るステップ、
−第１の記憶媒体に記憶されるべき前記入力されるパケットを復調するステップ、
−前記入力されるパケットが再送信されたパケットであるかを既定の規準に従い判断するステップ、及び
−前記入力されるパケットが再送信されたパケットである場合、最大比合成方法を用いて、前記入力されるパケットを第２の記憶媒体に記憶された先行するパケットと結合させるステップ、
を有する方法。
【請求項２】
請求項１に記載の方法において、前記入力されるパケットが再送信されたパケットであるか判断するステップはさらに、
−前記入力されるパケット及び前記記憶されたパケットの長さ領域が同じであるか判断するステップ、
−前記入力されるパケット及び前記記憶されたパケットの前記長さ領域が同じであるとき、前記入力されるパケットの再試行ビット領域が稼動するか判断するステップ、及び
−前記入力されるパケットの再試行ビット領域が稼動するとき、前記入力されるパケット及び前記記憶されたパケットのシーケンス制御領域が同じであるか判断するステップ、
を有する方法。
【請求項３】
請求項１に記載の方法において、前記入力されるパケットが再送信されたパケットであるか判断する前記ステップはさらに、前記入力されるパケット及び前記記憶されたパケットのアドレス領域が同じであるか判断するステップを有する方法。
【請求項４】
請求項１に記載の方法において、前記入力されるパケットを前記先行するパケットと合成するステップが前記入力されるパケット及び前記記憶されたパケットの信号対ノイズ比（ＳＮＲ）の記号に従い行われる方法。
【請求項５】
請求項１に記載の方法において、前記既定の規準は、前記入力されるパケット及び前記記憶されたパケットの媒体アクセス制御（ＭＡＣ）フレームに基づいている方法。
【請求項６】
請求項１に記載の方法において、前記入力されるパケットを前記記憶されたパケットと合成するステップがアクセスポイントにおいて行われる方法。
【請求項７】
請求項６に記載の方法において、前記入力されるパケットを前記記憶されたパケットと合成するステップは、前記アクセスポイントと通信する移動局において行われる方法。
【請求項８】
請求項１に記載の方法において、前記入力されるパケットが再送信されたパケットであるかを判断するステップはさらに、
−前記入力されるパケット及び先行するパケットの長さ領域が同じであるか判断するステップ、
−前記入力されるパケット及び前記先行するパケットの長さ領域が同じである場合、前記入力されるパケット再試行ビット領域が稼動するか判断するステップ、
−前記入力されるパケットの前記再試行ビット領域が稼動する場合、前記入力されるパケット及び前記先行するパケットのアドレス領域が同じであるか判断するステップ、及び
−前記入力されるパケット及び前記先行するパケットの前記アドレス領域が同じである場合、前記入力されるパケット及び前記先行するパケットの前記シーケンス制御領域が同じであるか判断するステップ、
を有する方法。
【請求項９】
通信システムにおいてデータパケットを合成する方法において、前記方法は、
−入力されるパケットを得るために、前記データパケットの送信を入力し、第１の記憶媒体に記憶するステップ、
−前記第１の記憶媒体に記憶された前記入力されるパケットから物理層コンバージェンスプロトコル（ＰＬＣＰ）及びＭＡＣヘッダを抽出するステップ、
−前記第１の記憶媒体に記憶された前記データパケット及び第２の記憶媒体に記憶される前に入力されたエラー状態のパケットの前記ＰＬＣＰ及び前記ＭＡＣヘッダを比べて、前記入力されるパケットが前記再送信されたパケットであるか判断するステップ、及び
−前記入力されるパケットが前記再送信されたパケットである場合、最大比合成方法を用いて前記入力されるパケットを第２の記憶媒体に記憶された前記先行するパケットと合成するステップ、
を有する方法。
【請求項１０】
通信システムにおいてデータパケットを合成する装置において、
−前記データの送信を復調し、入力されるパケットを得る復調手段、
−前記入力されるパケットを記憶する第１の記憶手段、
−先行するエラー状態のパケットを記憶する第２の記憶手段、
−前記入力されるパケットが前記先行するパケットに応答する再送信されたパケットであるか既定の規準に従って判断するプロセッサ、及び
−前記既定の規準を満たす場合、前記入力されるパケットを前記先行するパケットと合成する合成手段、
を有する装置。
【発明の詳細な説明】
【技術分野】
【０００１】
本発明はデータ通信に関する。特に、本発明は、本来のパケットをそのパケットの再送信されるバージョンと合成することによりデータの効果的なリカバリを提供する方法及び装置に関する。
【背景技術】
【０００２】
IEEE 802.11規格は、媒体アクセス制御（ＭＡＣ）及び物理層ユニットを支援するための無線ＬＡＮ（ＷＬＡＮ）用の物理特性を規定している。このIEEE 802.11規格は、国際規格ISO/IEC 8802-11、”Information Technology--Telecommunications and information exchange area networks”, 1999 Editionにおいて規定され、これは参照することにより、その全てをここに含まれるとする。
【発明の開示】
【発明が解決しようとする課題】
【０００３】
802.11ＷＬＡＮシステムにおいて、送信及び受信の仕組みはパケット通信及び応答(acknowledgement)プロトコルに基づいている。設定しておいた時間中に確認応答を受信しない場合、同じパケットがより広い帯域幅を使って再送信される。このロストパケット(lost packet)の再送信は、
（１）信頼性のあるパケットが受信器に入力されるまで、
（２）最大数の再送信数に達するまで、又は
（３）パケットの寿命を過ぎるまで、
続く。現在の802.11方式下において、先行する誤ったパケット又はロストパケットに応答する次の入力されるパケットもエラーを含む場合、受信器はこの再送信されたパケットを破棄し、先行するパケットの信頼性のある他の再送信を待っている。これにより、ロストパケットの再送信が何度も起こり得る。データ通信にとって、現在の802.11プロトコルは、入力されるデータパケットの信頼性の方がロストパケットの再送信がどの位早く入力されるかよりも重要であると許容し得る。しかしながら、異なるデータサービスである、データパケットを受信する時間及びこのデータパケットの信頼性は共にオーディオ及びビデオデータのストリーミングを必要とするアプリケーションにおいて必要不可欠である。従って、ＷＬＡＮシステムにおいて、ストリーミングを行うオーディオ及びビデオを可能にするための限られた時間期間内に信頼性のあるパケットのリカバリを得る必要がある。
【課題を解決するための手段】
【０００４】
本発明は、再送信される信号を前に記憶されたエラー状態である信号と合成する方法及びシステムを提供することにより、上述される問題を克服し、追加の利点を提供する。本発明の第１の態様によると、通信システムにおいてデータパケットを合成する方法は、
−データパケットの送信を入力し、入力されるパケットを得るステップ、
−第１の記憶媒体に記憶されるべき前記入力されるパケットを復調するステップ、
−前記入力されるパケットが再送信されたパケットであるかを既定の規準に従って判断するステップ、及び
−前記入力されるパケットが前記再送信されたパケットである場合、最大比合成方法を用いて前記入力されるパケットを第２の記憶媒体に記憶された先行するパケットと合成するステップ、
を含む。前記入力されるパケットを前記先行するパケットと合成するステップは、前記入力されるパケット及び同じパケット番号を持つ先行するパケットのプリアンブル部におけるビットに従い計算される信号対ノイズ比（ＳＮＲ）により実行され、既定の規準は前記入力されるパケット及び同じパケット番号を持つ先行するパケットの媒体アクセス制御（ＭＡＣ）フレームに基づいている。このように、入力される信号が再送信されたパケットであるかを判断するステップはさらに、
−入力されるパケット及び誤った記憶されるパケットの長さ領域が同じであるか判断するステップ、
−前記入力されるパケット及び誤った記憶されるパケットの長さ領域が同じである場合、入力されるパケットの再試行ビット領域が稼動するか判断するステップ、
−前記入力されるパケットの再試行ビット領域が稼動する場合、前記入力されるパケット及び記憶されたパケットのアドレス領域が同じであるか判断するステップ、及び
−前記入力されるパケット及び前記記憶されたパケットのアドレス領域が同じである場合、前記入力されるパケット及び記憶されたパケットのシーケンス制御領域が同じであるか判断するステップ
を含む。
【０００５】
本発明の他の態様によれば、通信システムにおいてデータパケットを合成する方法は、
−データパケットの送信を入力及び第１の記憶媒体に記憶して、入力されるパケットを得るステップ、
−前記第１の記憶媒体に記憶された前記入力されるパケットから物理層コンバージェンスプロトコル（ＰＬＣＰ）及びＭＡＣヘッダを抽出するステップ、
−前記第１の記憶媒体に記憶されたデータパケットと、第２の記憶媒体に記憶されるエラー状態である先に受信されたパケットとのＰＬＣＰ及びＭＡＣヘッダを比較し、前記入力されるパケットが再送信されたパケットであるか判断するステップ、及び
−前記入力されるパケットが再送信されたパケットである場合、最大比合成方法を用いて前記入力されるパケットを第２の記憶媒体おける先に記憶されたエラー状態のパケットと合成するステップ、
を含む。前記入力されるパケットを先行するパケットと合成するステップは、入力されるパケット及び記憶されたパケットの信号対ノイズ比（ＳＮＲ）により行われる。さらに、入力されるパケットが再送信されたパケットであるか判断するステップはさらに、
−前記入力されるパケット及び前記記憶されたパケットの長さ領域が同じであるかを判断するステップ、
−前記入力されるパケット及び前記記憶されたパケットの長さ領域が同じである場合、前記入力されるパケットの再試行ビット領域が稼動したかを判断するステップ、
−前記入力されるパケットの再試行ビット領域が稼動する場合、前記入力されるパケット及び前記記憶されたパケットのアドレス領域が同じであるか判断するステップ、及び
−前記入力されるパケット及び前記記憶されたパケットのアドレス領域が同じである場合、前記入力されるパケット及び前記記憶されたパケットのシーケンス制御領域が同じであるか判断するステップ、
を含む。
【０００６】
本発明の他の態様によれば、通信システムにおいてデータパケットを合成する方法は、
−前記データの送信を復調し、入力されるパケットを得る復調手段、
−前記入力されるパケットを記憶する第１の記憶手段、
−先行するエラー状態であるパケットを記憶する第２の記憶手段、
−前記入力されるパケットが先行するパケットに応答して再送信されたパケットであるかを既定の規準に従って判断するプロセッサ、
−前記既定の規準を満たす場合、前記入力されるパケットを前記先行するパケットと合成する合成手段、及び
−前記データの送信及び前記先行するパケットの入力を行う少なくとも１本のアンテナ、
を含む。前記結合手段は最大比合成方法を使用し、前記入力されるパケット及び同じパケット番号を持つ先行するパケットの信号対ノイズ比（ＳＮＲ）に従って行われる。前記既定の規準は、前記入力されるパケット及び前記先行するパケットの媒体アクセス制御（ＭＡＣ）フレームに基づいている。プロセッサはさらに、前記入力されるパケット及び前記記憶されたパケットに対するＭＡＣフレームの長さ領域が同じである場合、前記入力されるパケットは再送信されたパケットであると判断し、前記入力されるパケットに対するＭＡＣフレームの再試行ビット領域が稼動する場合、前記入力されるパケットは再送信されたパケットであると判断し、前記入力されるパケット及び前記記憶されたパケットに対するＭＡＣフレームのアドレス領域が同じである場合、前記入力されるパケットは再送信されたパケットであると判断し、及び前記入力されるパケット及び前記記憶されたパケットに対するＭＡＣフレームのシーケンス制御領域が同じである場合、前記入力されるパケットは再送信されたパケットであると判断するように動作する。
【０００７】
本発明の前述した及び他の特徴並びに利点は、参照番号が様々な表示にわたり同じ部分を指している添付される図に説明されるような好ましい実施例の以下に述べるより詳細な記載から明らかである。これら図は必ずしも同じ縮尺ではなく、本発明の原理を説明する場合に代わりに強調して配置される。
【発明を実施するための最良の形態】
【０００８】
以下の記述において、限定ではなく説明を目的として、本発明の完璧な理解を提供するために、例えば特定のアーキテクチャ、インタフェース、技術等のような特定の詳細が述べられる。しかしながら、本発明がこれらの詳細から外れた他の具体例において実行されてよいことは当業者には明らかである。その上、明瞭性を目的として、よく知られた装置、回路及び方法の詳細な説明は、本発明の説明を不必要な詳細で不明瞭にしないために省略される。
【０００９】
本発明は特に無線ＬＡＮ（ＷＬＡＮ）での使用にかなり適していて、以下にこの応用に関して説明されたとしても、ここで説明される方法及び装置が、他のデジタル無線通信システム、例えば北米移動体無線規格及びＧＳＭ(the North American Mobile
Radio Standard and the Group Special Mobile)に基づくシステム（移動通信用のグローバルシステムとしても知られ、欧州及び日本において使用されるデジタルセルラーホンサービスである）及びＤＥＣＴ(the Digital European
Cordless Telecommunications)に基づくシステムであり、汎欧州のデジタル無線電話のインタフェース規格であるシステムに用いられることが可能であることに注意すべきである。
【００１０】
図１は、本発明の実施例が適用される代表的なネットワークを説明している。図１に示されるように、アクセスポイント（ＡＰ）２は複数の移動局４（ＳＴＡｉ）に結合されていて、これは無線リンクによって相互に及び複数の無線チャンネルを介してアクセスポイントＡＰ２と通信する。このＡＰの主な機能は、ローミング（すなわちアクセスポイントを変えること）の支援、ＢＳＳ内における同期、電源管理及びＢＳＳ内のサポート時間限定サービスへアクセスする媒体の制御である。
【００１１】
図２は、本発明のＡＰ２及び移動局４の例示的なブロック図を説明し、アンテナ１０、受信器１２、復調器１４、復号器１６、制御プロセッサ１８、メモリ２０、符号化器２２、変調器２４及び送信器２６を含む。逆リンクにおけるデータの受信は、アンテナ１０から入力される受信データパケットを入力する際に開始される。これら入力された信号は、受信器１２を通り、これら信号が復調され、復号するための復号器へ転送される復調器１４へ送られる。その間、制御プロセッサ１８は復調プロセスを制御するように動作し、前記パケットが誤って受信される場合、制御プロセッサ１８はソースデバイスに再送信を要求する。その後、再送信されたパケットは既定の規準に従い検出され、エラー状態である本来のパケットと再結合され、これは信頼性のあるデータパケットが短期間で得られるのに対し、（後述する）ダイバーシティ利得によるパケットの信号対ノイズ比（ＳＮＲ）を改善する。他の実施例において、ソースデバイスは、パケットに対するＡＣＫメッセージが既定の期間内に受信デバイスから入力されない場合、パケットを再送信する。順方向リンクにおけるデータ送信は、符号化器２２へのデータパケットにおけるデータソースから起こり、この符号化器は符号化されたデータを変調器２４へ順に送る。次いで、変調された信号は、送信器２６を通り送られ、順方向リンクにおけるアンテナ１０を介して送信される。
【００１２】
本発明の重要な原理は、両方のパケットが同じ内容であるが、異なる時間で送られているので、本来のパケットをそのパケットの再送信されたバージョンと合成させることにより再送信されるパケットを用いた時間ダイバーシティの利点を得ることである。
【００１３】
ここで、本発明による信頼性のあるデータパケットの受信を支援するためのダイバーシティの合成の供給が、図３から図５を参照した詳細な記載で説明される。
【００１４】
時間ダイバーシティの合成が本発明の実施例に従い適切に動作するために、入力されるパケットが先に誤った入力されるパケットの再送信である場合、移動局は確認する必要がある。フレームの確認が複雑であるため、ＭＡＣフレームに設けられる幾つかの規準が現在のパケットが本発明の実施例による再送信されたパケットであるかを確認するのに使用される。特に、本発明はＷＬＡＮのＭＡＣ層からの制御信号を利用し、物理層（ＰＨＹ）において以下に記載されるような動作ステップを実施する。
【００１５】
図３は、802.11規格下で説明されるような一般的なＭＡＣフレーム形式を説明し、決まった順番に起こる領域の組を含んでいる。このＭＡＣフレームを用いて、本発明は特定の移動局が入力されるパケットが前に誤って入力されたパケットと合成するのに用いられるパケットの再送信であるかを確認することを可能にする。
【００１６】
初めに、ＰＬＣＰヘッダ内の“長さ領域(LENGTH field)”（期間／ＩＤ領域）は、本発明による再送信されるパケットを確認する規準の１つとして用いられる。この“長さ領域”は現在のパケットの長さを表すのに使用される。通常、異なるパケットは“長さ領域”に関し異なる値を持つ。２つの異なるパケットが同じパケット長を持つ可能性は非常に低い。これにより“長さ領域”は、あるパケットを他のパケットと識別するための最初の規準として使用されることができる。この“長さ領域”は常に基本比率で送信され、この基本比率は送信パケットの最も低い比率である。例えば、この領域がエラーとなる可能性は、より高いデータ比で送信されるＭＡＣ層内のデータと比較して非常に低い。その上、２つのパケットは異なっているが、本発明によるＭＡＣ層の規準の検出がこれらパケットは異なる時間で送信された同じパケットであると示す場合、このシステムは、合成されるパケットがＭＡＣ層におけるＣＲＣ検出を決して通らないため、このようなエラーが起こるときの安全装置機能を既に持っている。これにより、この領域は再送信されたパケットを確認するための信頼性のある領域とすることができる。
【００１７】
次に、ＭＡＣヘッダの“フレーム制御領域(Frame Control field)”は、本発明による再送信されたパケットを確認するための追加の規準として使用される。図４は、“フレーム制御領域”の形式を説明する。ＭＡＣヘッダはデータフレーム全体おいて僅かな部分であり、大多数のエラーはフレームボディ（ＭＳＤＵデータ）に存在するので、２つの同じフレームは、“フレーム制御領域”における“再試行サブ領域(RETRY subfield)(B11)”以外は、ＭＡＣヘッダに同じ情報を持つと確かに仮定することができる。それ故に、“長さ領域”を持つＭＡＣヘッダが１に設定された“再試行”ビットを持つ“フレーム制御領域”も含む場合、現在のパケットが再送信されたパケットであることをさらに確実にする。
【００１８】
加えて、データフレーム内の４つのアドレス領域、すなわち送信器アドレス、受信器アドレス、ソースアドレス及び宛先アドレスは、本発明による再送信されたフレームを確認するのに使用されてよい。これら２つのフレームが同じ送信ペア情報を持つかを示すアドレス情報が現在のパケットが再送信されたパケットであるかの決定を支援する。つまり、これらアドレスの全ては、上述したような第１及び第２の規準を満たした後、２つのフレームに対し同じになる。従って、現在入力されるフレームが再送信されたバージョンであると仮定され得る。検出用途に用いられるビット数を減少させるために、“フレーム制御領域”において２つの制御ビットにより制御されるアドレス領域の合成が図５に示されるように用いられる。しかしながら、フレームのハンドシェイクプロセス(frame handshaking process)中、ＲＴＳ／ＣＴＳがＭＡＣフレームにおいて用いられる場合、この情報は送信端と受信端との間の送信ペアを確認するのに代わりに用いられる。このとき、アドレス領域の検出は省略される。例えばＰＣＦ(Point Coordination function)である任意のポーリング機構又は新しい802.11eのＭＡＣ規格の一部とする次のＨＣＦ(Hybrid Control Function)がＭＡＣフレームに用いられる場合、アドレス領域の検出も、ポーリングフレームを入力するＳＴＡが実際に送信ＳＴＡであるために省略される。
【００１９】
さらに、図３に示されるようなＭＡＣヘッダの“シーケンス制御領域”は、現在のパケットが本発明による再送信されたパケットであるかを確認するのに用いられる。このシーケンス制御領域が両方のパケットに対し同じである場合、現在のフレームはロストパケットに応答する再送信されたパケットであると無事に仮定される。
【００２０】
上記規準の全てが満たされる場合、本システムは現在のフレームを先に誤った入力されるフレームの再送信されたフレームであると判断する。次いで、この再送信されたフレームは、最大比合成方法(the maximum ratio combining method)により先行するフレームと合成され、結果として生じる合成されるデータは、復号器１６に出力される。その後、復号器１６は、既定の復号方法に基づいてこの合成されるデータを復号し、後の段階において、結果として生じる復号されたデータを出力する。合成される２つのパケットが最大比合成方法により同じである場合、２つのパケットの合成に対しこの合成の出力部においてＳＮＲに関し３ｄＢ（４つのパケットの合成に対し６ｄＢ）の利得が得られることは当業者には明らかである。結果として、ＰＨＹ層におけるＳＮＲの増大がＭＡＣ層におけるデータパケットの信頼性のある入力を少ない再送信回数で改善させる。
【００２１】
図６は上述されるような検出プロセスをブロック図に基づいて説明している。図６に示されるように、入力する信号は復調器１４により復調される。現在のパケットはバッファＡに記憶され、先に入力されたエラー状態のパケットはバッファＢに記憶される。バッファＡに記憶される現在のパケットがバッファＢに記憶されたパケットの再送信であると判断される場合、Ａ及びＢに対する合成係数が記憶されるパケット及び現在入力されるパケットの記号ＳＮＲにより計算される最大比合成は、加算器３０において実行される。バッファＢに記憶されるパケットは、単一のパケットであるか、又は（図６のフィードバック部に示されるような）未だＭＡＣ  ＣＲＣ検査を通らない合成パケットである。第２の場合において、前記合成は幾つかの再送信されたパケットが高いＳＮＲ（例えば４つのパケット合成に対し６ｄＢ）を得ることになる。結果として、バッファ数が節約され、ＰＨＹ層におけるＳＮＲの増大は、ＭＡＣ層におけるデータパケットの信頼性のある入力をより少ない再送信回数で改善させる。
【００２２】
図７は、図６に示される上記プロセスを本発明に関して詳細に説明している。本発明による時間ダイバーシティ合成方法は移動局又はアクセスポイント（ＡＰ）において実行されることに注意されたい。明瞭性のために、本発明は移動局に関して以下に説明される。図７に示されるように、移動局はステップ５５０においてパケットを待つ。ステップ５５２において前記パケットが当該移動局に送られる場合、移動局は５５４において入力するパケットをバッファＡに記憶する。そうでなければ、移動局は次のパケットを待つ。ステップ５５６において、バッファＢが空であるか判断される。バッファＢが空である場合、５５８において前記入力するパケットがバッファＢに記憶される。次に、バッファリングされたパケットは５６０においてＭＡＣ  ＣＲＣ検査の試験が行われる。このバッファリングされたパケットがこのＣＲＣ検査を通過する場合、次に、このバッファリングされたパケットは、５６２においてバッファＢから削除される。検査を通らない場合、バッファリングされたパケットはバッファＢに残り、５５０が繰り返される。
【００２３】
５５６において、バッファＢが空ではない場合、５７０において、バッファＡに記憶される入力するパケットの“長さ領域”がバッファＢに記憶されるパケットと比べられる。両方のパケットにおいて“長さ領域”が同じである場合、５７２において、バッファＡに記憶されるパケットは１に設定された“再試行ビット”を含んでいるか判断される。この再試行ビットを含む場合、５７４において、ヘッダにおけるアドレス合成が両方のパケットに対し同じであるか検査される。この合成が同じである場合、５７６において、“シーケンス制御領域”が両方のパケットに対し同じであるか検査される。５７０から５７６がＹｅｓ（Ｙ）である場合、これら２つのパケットが同じであると結論付けられる。このように、５７８において、これら２つのパケットは最大比合成方法を用いて合成され、次にこの合成されたパケットはバッファＢに記憶される。しかしながら、５７０から５６７がＮｏ（Ｎ）である場合、５８０において、入力するパケットが他のバッファに記憶される（ＡＰの場合）又は１つのバッファが移動局において利用可能であれば、新しいパケットは廃棄される。
【００２４】
これにより、パケットを合成する方法及びシステムの好ましい実施例を記載する場合、このシステムの一定の利点が達成されることが当業者に明らかにされるべきである。無線チャンネルが異なる時間で正確に同じになりそうであるため、各データパケットに対するチャンネルの歪みが異なるであろう。それ故に、本発明は、ダイバーシティ合成方法により短い時間で信頼性のあるデータパケットの送信を供給し、良くないチャンネル条件に対するスループットタイムを減少させることにより、ストリーミングによるオーディオ及びビデオサービスの性能を向上させる。加えて、ダイバーシティ合成にとって、前記記号の信号対ノイズ比（ＳＮＲ）はダイバーシティの利得により改善される。
【００２５】
本発明の好ましい実施例が説明及び記載される一方、様々な変更及び改良が行うことができ、同等のものが本発明の実際の範囲から外れることなく本発明の要素の代わりとされてよいことは当業者には明白である。加えて、多くの改良が中心的な範囲から外れることなく、本発明の特有な状況及び教授することを適合させることができる。これにより、本発明は、当該発明を実行するために熟考された最善のモードとして開示される特有な実施例に制限されないが、本発明は添付される特許請求の範囲内にある全ての実施例を含んでいると意図される。
【図面の簡単な説明】
【００２６】
【図１】本発明の実施例が適用される通信システムの簡略化されるブロック図。
【図２】本発明の実施例による無線受信器の簡略化される回路ブロック図。
【図３】本発明の実施例による送信方式を支援する802.11規格の下で述べられるようなＭＡＣヘッダフレーム方式。
【図４】図３に示されるＭＡＣヘッダフレームに設けられる領域の１つ。
【図５】図３に示されるＭＡＣヘッダフレームに設けられる領域の１つ。
【図６】本発明の実施例による無線受信器内の例示的な復調器のブロック図。
【図７】本発明の実施例による動作プロセスを説明するフローチャート。
【図１】
2005513868.tif 000003
【図２】
2005513868.tif 000004
【図３】
2005513868.tif 000005
【図４】
2005513868.tif 000006
【図５】
2005513868.tif 000007
【図６】
2005513868.tif 000008
【図７】
2005513868.tif 000009
【国際調査報告】
2005513868.tif 000010
2005513868.tif 000011
2005513868.tif 000012